(57)【要約】【課題】  使用している間に光軸ずれが起こって片ボケ現象が発生した場合でも、その片ボケ現象を補正して、高い画質の撮像画像が得られるようにする。【解決手段】  本体１に収容されている鏡筒４を本体１から突出させるズームアイリスドライバ１５と、ズームアイリスドライバ１５によって鏡筒４が突出された後に、レンズカバー５のマークを撮像するＣＣＤ１０と、ＣＣＤ１０によって撮像されたマークの画像によって光軸ずれを検出したときは、その光軸ずれを補正する画像処理を行うＣＰＵ１１と、ＣＣＤ１０によってマークが撮像された後に、レンズカバー５を全開させてレンズ６を撮像可能な状態にするカバードライバ１６と、レンズカバー５が全開した後に、レンズ９を移動させてレンズ６から入射する光画像に対してフォーカスを合わせるフォーカスドライバ１４と、を備えている。【選択図】  図３
2006279117.tif 000002
【特許請求の範囲】
【請求項１】
撮像用の光学系と、この光学系を通して被写体を撮像する撮像素子と、この撮像素子により撮像した被写体の画像を画像処理する処理系とを備えた電子カメラにおいて、
前記撮像用の光学系の前方に片ボケ検出用図形を提示する提示手段と、
前記片ボケ検出用図形を撮像した画像から片ボケ評価値を生成する生成手段と、
前記片ボケ評価値を記憶する記憶手段と、
を備えた電子カメラ。
【請求項２】
被写体を撮像した画像データを前記片ボケ評価値に基づき補正する補正手段を、さらに備えたことを特徴とする請求項１に記載の電子カメラ。
【請求項３】
前記提示手段は、レンズカバーであることを特徴とする請求項１に記載の電子カメラ。
【請求項４】
前記片ボケ検出用図形を照明するために表示手段用照明が発した光を導光手段により前記光学系に導くことを特徴とする請求項１に記載の電子カメラ。
【発明の詳細な説明】
【技術分野】
【０００１】
本発明は、電子カメラに関し、特に、撮影時にレンズを収容する鏡筒が本体から突出する沈胴式の電子カメラに関するものである。
【背景技術】
【０００２】
一般に、電子カメラにおいては、レンズの光軸がわずかでもずれていると、画像の一部がぼけるいわゆる「片ボケ」という現象が発生する。それを防ぐために、製造工程において光軸ずれを検出して、補正を行った上で出荷している。
一方、近年においては小型化を図るために、カメラ本体からレンズを収容している鏡筒が突出する沈胴式の電子カメラが普及している。
ある特許文献のレンズ鏡筒の提案においては、その明細書の段落番号００２６に記載されているように、カメラの電源ボタンを押すと、カメラに電源が入り、レンズ鏡筒の駆動用モータが回転される。そして、カム筒を回転させることにより、沈胴状態から撮影状態まで１群レンズおよび２群レンズが移動される。フォーカス調整については、モータを駆動することにより、３群レンズ枠を光軸の方向に移動させて行う。逆にカメラの電源を切断した場合には、撮像状態から沈胴状態に向けてカム筒が回転される。（特許文献１参照）
また、ある特許文献の沈胴式レンズ鏡筒の提案においては、その明細書の段落番号００１４に記載されているように、撮影状態では、撮影光学系を構成するすべての光学要素を同一の光軸上に位置させ、沈胴状態では、複数の光学要素のうちの第２レンズ群を光軸とは異なる位置に退避させ、かつその第２レンズ群と、退避しない光学要素の少なくとも一部をそれぞれ光軸方向後方に後退させることで収納長の短縮を図っている。（特許文献２参照）
【特許文献１】特開２００２−１０７６０２号公報
【特許文献２】特開２００３−３１５８６１号公報
【発明の開示】
【発明が解決しようとする課題】
【０００３】
しかしながら、上記特許文献１および特許文献２の構成においては、電源スイッチをオン又はオフするたびに鏡筒に収容されたレンズ群が移動するので、工場出荷時に光軸調整が行われていても、使用している間に光軸ずれが起こり、片ボケ現象が発生することがある。特に、特許文献２の場合には、図３に顕著に示されているように、図３（Ａ）の撮像状態（電源オン）の場合と図３（Ｂ）の沈胴状態（電源オフ）の場合とを比較すると、第２レンズ群Ｌ２が光軸に対して直角方向に移動するようになっているので、使用している間に光軸ずれが起こり、片ボケ現象が発生するおそれが十分にあり得る。
本発明は、このような従来の課題を解決するためのものであり、使用している間に光軸ずれが起こって片ボケ現象が発生した場合でも、その片ボケ現象を補正して、高い画質の撮像画像が得られる電子カメラを提供することを目的とする。
【課題を解決するための手段】
【０００４】
請求項１に記載の電子カメラは、撮像用の光学系（実施形態においては、図３の光学系要素１に相当する）と、この光学系を通して被写体を撮像する撮像素子（実施形態においては、図３のＣＣＤ１０に相当する）と、この撮像素子により撮像した被写体の画像を画像処理する処理系とを備えた電子カメラにおいて、撮像用の光学系の前方に片ボケ検出用図形（実施形態においては、図７および図８のマークに相当する）を提示する提示手段と、片ボケ検出用図形を撮像した画像から片ボケ評価値を生成する生成手段（実施形態においては、図３のＣＰＵ１１の機能に相当する）と、片ボケ評価値を記憶する記憶手段（実施形態においては、図３のＲＡＭ１９に相当する）と、を備えた構成になっている。
【０００５】
請求項１に記載の電子カメラにおいて、請求項２に記載したように、被写体を撮像した画像データを片ボケ評価値に基づき補正する補正手段（実施形態においては、図３のＣＰＵ１１の機能に相当する）を、さらに備えた構成にしてもよい。
【０００６】
請求項１に記載の電子カメラにおいて、請求項３に記載したように、提示手段は、レンズカバーであるような構成にしてもよい。
【０００７】
請求項１に記載の電子カメラにおいて、請求項４に記載したように、片ボケ検出用図形を照明するために表示手段用照明（実施形態においては、図３の表示部２０のバックライトに相当する）が発した光を導光手段（実施形態においては、図８の孔４ａおよびミラー４ｂ又はグラスファイバなどに相当する）により光学系に導くような構成にしてもよい。
【発明の効果】
【０００８】
本発明の電子カメラによれば、使用している間に光軸ずれが起こって片ボケ現象が発生した場合でも、その片ボケ現象を補正して、高い画質の撮像画像が得られるという効果が得られる。
【発明を実施するための最良の形態】
【０００９】
以下、本発明による電子カメラの実施形態について、図１ないし図７を参照して説明する。
図１は、実施形態における沈胴式の電子カメラの外観図である。電子カメラの本体１の上面には、電源スイッチ２およびシャッタスイッチ３が設けられている。図１（１）は電源スイッチ２がオフの状態を表わし、鏡筒４が本体１内に収容されており、鏡筒４の前面がレンズカバー５によって覆われている。図１（２）は電源スイッチ２がオンされた後、鏡筒４が本体１から突出し、レンズカバー５が全開になってレンズ６が露出された状態、すなわち、撮影可能な状態を表わしている。
【００１０】
図２は、レンズカバー５が閉じられた状態から開かれる様子を示す図である。レンズカバー５は、光を遮断する不透明な略半月形の２枚の部材が開閉する構造になっている。図２（１）は、レンズカバー５が完全に閉じられた状態を示し、上カバー５ａと下カバー５ｂとが重なり合っている状態、すなわち、レンズ６がレンズカバー５によって覆われている状態である。電源スイッチがオンされると、図１（２）に示したように、鏡筒４が本体から突出した後、図２（２）に示すように、上カバー５ａが上方向に移動し、下カバー５ｂが下方向に移動して、レンズ６が少しずつ露出されていく。なお、上カバー５ａおよび下カバー５ｂは移動するにしたがって、鏡筒４内に収容されて、鏡筒４の前面からは見えなくなるので、鏡筒４に収容された部分は点線で示すべきであるが、ここでは説明を簡便にするために敢えて実線で示している。図２（３）は、上カバー５ａおよび下カバー５ｂが全開して、レンズ６が完全に露出した状態、すなわち、撮影が可能な状態を表わしている。
【００１１】
図３は、実施形態における電子カメラの全体構成を示す概念図である。レンズを収容する鏡筒４の内部には、移動筒、固定筒、カム筒が組み合わされ、さらに、駆動モータなどの複数のアクチュエータ、各種センサ、ギア機構などが設けられ、極めて複雑な構造になっている。しかし、その基本的な構造は既に周知であるので、説明を簡便にするために図３では省略されている。
【００１２】
図３において、レンズカバー５が開くことにより露出するレンズ６の後にはレンズ７があり、レンズ６およびレンズ７によってズームレンズを構成している。レンズ７の後方にはアイリス（絞り機構）８が設けられ、さらにその後方にはフォーカス用のレンズ９が設けられている。光軸ずれがない場合には、レンズ６、レンズ７、およびレンズ９が同一の光軸ＡＸＩＳに配置している。レンズ９のさらに後方には、撮像素子であるＣＣＤ１０が設けられている。ＣＰＵ１１は、この電子カメラ全体を制御するマイクロコンピュータである。ＣＰＵ１１の各ポートには、Ａ／Ｄ（Ａ／Ｄ変換回路）およびＧＣＡ（ゲイン制御アンプ）１２、ＣＣＤドライバ１３、フォーカスドライバ１４、ズームアイリスドライバ１５、カバードライバ１６、操作部１７、ＲＯＭ１８、ＲＡＭ１９、表示部２０、およびフラッシュメモリ２１が接続されている。
【００１３】
ＣＣＤドライバ１３は、ＣＰＵ１１のＣＣＤオンの指令に応じて、ＣＣＤ１０にタイミング信号を出力して、撮像を可能にする。Ａ／ＤおよびＧＣＡ１２は、ＣＣＤ１０から出力される撮像信号を増幅し、アナログからディジタルに変換してＣＰＵ１１に入力する。フォーカスドライバ１４は、ＣＰＵ１１のフォーカスドライブの指令に応じて、フォーカス調整のためにレンズ９のアクチュエータに制御信号を出力する。ズームアイリスドライバ１５は、ＣＰＵ１１のズームドライブの指令およびアイリスドライブの指令に応じて、レンズ６およびレンズ７のアクチュエータ、アイリス８のアクチュエータのそれぞれに対応する制御信号を出力する。この制御信号によって、図１に示した鏡筒４が撮影状態又は沈胴状態に移動する。カバードライバ１６は、ＣＰＵ１１のカバードライブの指令、すなわち、カバー開指令又はカバー閉指令に応じて、レンズカバー５のアクチュエータに制御信号を出力する。
【００１４】
操作部１７は、図１に示した電源スイッチ２およびシャッタスイッチ３のほかに、画角調整スイッチ、表示部２０に表示されたアイコンスイッチを選択および決定する選択スイッチおよび決定スイッチなどが設けられている。ＲＯＭ１８は、ＣＰＵ１１によって実行される制御プログラムや初期データなどを記憶している。ＲＡＭ１９は、ＣＰＵ１１のワークエリアであり、ＣＣＤ１０で撮像された画像データを一時的にストアするエリア、各種レジスタやフラグのエリアなどがある。表示部２０は、ＬＣＤ（液晶表示パネル）で構成され、ＲＡＭ１９にストアされた画像データを表示するとともに、種々の操作モードに対応するアイコンスイッチを表示する。また、表示部２０には照明用のバックライトが内蔵されている。フラッシュメモリ２１は、ＲＡＭ１９にストアされた画像データを保存操作に応じて記録する。
【００１５】
次に、実施形態における電子カメラの動作について、図４ないし図６に示すＣＰＵ１１のフローチャートおよび図７に基づいて説明する。
電源スイッチがオンされたときは、図４のフローチャートにおいて、ＲＡＭ１９をクリアするなどのイニシャライズを行って（ステップＳ１）、本体１から鏡筒４を突出するためにズームアイリスドライバ１５に対してズームドライブを指令する（ステップＳ２）。そして、ズームが終了したか否かを判別し（ステップＳ３）、ズームが終了したとき、すなわち、鏡筒の突出が終了したときは、アイリスを開放するためにアイリスドライブを指令する（ステップＳ４）。そして、アイリスが開放されたか否かを判別し（ステップＳ５）、開放されたときは、レンズカバー５を開くためにカバードライバ１６に対してカバードライブを指令する（ステップＳ６）。そして、所定位置までレンズカバー５が開いたか否かを判別する（ステップＳ７）。所定位置まで開いたときは、カバードライブ５のドライブをその位置で一時停止する（ステップＳ８）。
【００１６】
図７は、レンズカバー５が所定位置まで開いた状態を示す図である。この図に示すように、上カバー５ａおよび下カバー５ｂの内側の所定箇所には、星型のマークＭ１〜Ｍ４が印刷又は刻印によって形成されている。図において点線で示す矩形の領域はＣＣＤ１０の撮像範囲ＡＲＥＡを示している。すなわち、各マークはＡＲＥＡの４箇所の隅の位置に対応している。この状態においては、レンズ６はかなり露出しているので、外光によって各マークがＣＣＤ１０から確認できる。レンズ６、レンズ７、およびレンズ９の光軸がずれている場合には、ＣＣＤ１０によって撮像されたマークの画像のエッジが均一にならないので、片ボケの現象を検出できる。しかし、レンズカバー５のレンズ６の間隔が狭い場合には、外光が少なすぎて各マークをＣＣＤ１０によって確認できない場合もある。その場合には、このようなマークでなく他の形状でもよい。例えば、上カバー５ａおよび下カバー５ｂに形成された円形の孔、又は、縁に形成された鋸歯状の形状でもよい。要は、ＣＣＤ１０によって撮像されたマークの画像によって片ボケの現象を検出できる形状であればよい。
【００１７】
図５のステップＳ８においてレンズカバー５を図７に示す位置で一時停止した後は、ＣＣＤドライバ１３に対してＣＣＤオンを指令し（ステップＳ９）、マークを撮像する（ステップＳ１０）。なお、ホーム位置にあるレンズ９は、あらかじめレンズカバー５の内面にフォーカスが調整されているが、レンズカバー５を一時停止したときに、レンズ９を駆動させてレンズカバー５の内面にフォーカスを調整するような構成にしてもよい。撮像された画像データは、Ａ／ＤおよびＧＣＡ１２によって取り込まれ、ＲＡＭ１９の所定のエリアにストアされる。次にマークＭ１〜Ｍ４についてエッジ検出を行い、これらのレベルを相互に比較する（ステップＳ１１）。そして、片ボケが発生しているか否かを判別する（ステップＳ１２）。レベル差が一定値以上であれば片ボケが発生していると判断されるので、片ボケ評価値の記録を行う。すなわち、いずれかのエッジ信号のレベルが、他のマークのエッジ信号のレベルより小さい場合には、そのマークの付近に片ボケが発生していると判断されるので、そのマーク番号と片ボケの度合い（他と比べたエッジ信号のレベル差）を片ボケ評価値としてＲＡＭ１９の他のエリアに記録し（ステップＳ１３）、画像補正のフラグＣＦに１をセットする（ステップＳ１４）。
【００１８】
ＣＦをセットした後、又は、ステップＳ１２において片ボケを検出しなかった場合には、図５のフローチャートにおいて、カバードライバ１６に対して再びレンズカバー５の開くためにカバードライブを指令する（ステップＳ１５）。そして、レンズカバー５が全開したか否かを判別する（ステップＳ１６）。全開したときは、開放しているアイリスを絞るために、ズームアイリスドライバ１５に対してアイリスドライブを指令する（ステップＳ１７）。そして、アイリスが最小になったか否かを判別し（ステップＳ）、最小になったときは、レンズ６およびレンズ７を通して入射する外部の被写体にフォーカスを合わせるために、フォーカスドライバ１４に対してフォーカスドライブを指令する（ステップＳ１９）。そして、フォーカスが調整されたか否かを判別し（ステップＳ２０）、外部の被写体にフォーカスが調整されたときは、シャッタスイッチ３がオンされたか否かを判別する（ステップＳ２１）。なお、外部の被写体にフォーカスが調整されたときは、適正なアイリスにするためにズームアイリスドライバ１５に対してアイリスドライブを指令してもよい。
【００１９】
シャッタスイッチ３がオンされたときは、ＣＣＤ１０で撮像されてＡ／ＤおよびＧＣＡ１２によって取り込まれた画像データを、ＲＡＭ１９の所定のエリアにストアする（ステップＳ２２）。そして、ＣＦが１であるか否かを判別し（ステップＳ２３）、ＣＦが１の場合には、ＲＡＭ１９にストアした片ボケ評価値を読み出し（ステップＳ２４）、その評価値に基づいてエッジ強調による画像補正を行う（ステップＳ２５）。次に、補正した画像データ、又は、ステップＳ２３においてＣＦが０で補正しない場合の画像データを、表示部２０に出力して表示する（ステップＳ２６）。次に、保存操作がされたか否かを判別し（ステップＳ２７）、この操作がされたときはＲＡＭ１９にストアした画像データをフラッシュメモリ２１に転送して保存する（ステップＳ２８）。画像データを保存した後、又は、保存操作がされない場合には、ステップＳ２１に移行してシャッタスイッチ３のオンを判別する。
【００２０】
シャッタスイッチ３がオンでない場合には、図６のフローチャートにおいて、電源スイッチ２がオフされたか否かを判別する（ステップＳ２９）。このスイッチがオンされない場合には、他の処理、例えば、再生操作に応じた画像の再生、削除操作に応じた画像の削除、画像編集操作に応じた画像編集処理などを行う（ステップＳ３０）。そして、図５のステップＳ２１に移行してシャッタスイッチ３のオンを判別する。
【００２１】
図６のステップＳ２９において電源スイッチ２がオフされたときは、表示部２０のバックライトを消灯して表示をオフにする（ステップＳ３１）。次に、レンズカバー５を閉じるために、カバードライバ１６に対してカバードライブを指令する（ステップＳ３２）。そして、レンズカバー５が完全に閉じたか否かを判別し（ステップＳ３３）、完全に閉じたときは、レンズ９を移動するために、フォーカスドライバ１４に対してフォーカスドライブを指令する（ステップＳ３４）。そして、レンズ９がホーム位置に達したか否かを判別し（ステップＳ３５）、ホーム位置に達したとき、すなわちレンズカバー５の内側にフォーカスが合う位置に達したときは、鏡筒４を本体１のホーム位置に収容するために、ズームアイリスドライバ１５に対して、ズームドライブを指令する（ステップＳ３６）。そして、鏡筒４が本体１内のホーム位置に達したか否かを判別し（ステップＳ３７）、ホーム位置に達したときは、フラグＣＦが１であるか否かを判別する（ステップＳ３８）。ＣＦが１である場合にはこれを０にリセットする（ステップＳ３９）。ＣＦをリセットした後、又は、ＣＦが０である場合には、フローチャートを終了する。
【００２２】
以上のように、この実施形態の電子カメラは、レンズ６などを内蔵している鏡筒４と、鏡筒４においてレンズ６の前面に設けられ、特定のマークが形成されたレンズカバー５と、本体１に収容されている鏡筒４を本体１から突出させるズームアイリスドライバ１５と、ズームアイリスドライバ１５によって鏡筒４が突出された後に、レンズカバー５のマークを撮像するＣＣＤ１０と、ＣＣＤ１０によって撮像されたマークの画像によって光軸ずれを検出したときは、その光軸ずれの補正に必要な片ボケ評価値の計算処理を行うＣＰＵ１１と、ＣＣＤ１０によってマークが撮像された後に、レンズカバー５を全開させてレンズ６を撮像可能な状態にするカバードライバ１６と、レンズカバー５が全開した後に、レンズ９を移動させてレンズ６から入射する光画像に対してフォーカスを合わせるフォーカスドライバ１４と、を備えている。
したがって、使用している間に光軸ずれが起こって片ボケ現象が発生した場合でも、その片ボケ現象を補正して、高い画質の撮像画像が得られる。
【００２３】
この場合において、ＣＰＵ１１は、片ボケを検出して片ボケ評価値を生成したときは、その片ボケ評価値をＲＡＭ１９に記憶し、レンズカバー５が全開した後に、ＣＣＤ１０によって撮像された画像に対して、ＲＡＭ１９から片ボケ評価値を読み出して、画像補正を行う。
したがって、片ボケを検出して片ボケ評価値をＲＡＭ１９に記憶した後は、電源スイッチ２がオフされない限り、撮像された画像に対して片ボケ現象の画像補正を行うので、常に高い画質の撮像画像が得られる。
【００２４】
また、レンズカバー５は、上カバー５ａおよび下カバー５ｂが開閉する構造を有するとともに、その開閉する開口部の近傍に特定のマークが形成され、ＣＣＤ１０は、カバードライバ１６によってレンズカバー５が所定の位置まで開いた状態でマークを撮像する。
したがって、片ボケ現象を補正するために新たな部品を追加する必要がなく、製品のコストアップを招くことなく、高い画質の撮像画像が得られる。
【００２５】
なお、上記実施形態においては、レンズカバー５を不透明な略半月形の２枚の部材が開閉する構造としたが、変形例として、レンズカバーを透明な２枚の部材が開閉する構造にして、その所定箇所に不透明なマークを形成する構成にしてもよい。不透明なマークとしては、例えば、レンズカバー全体に点在する微小なマークを形成する。
この場合には、レンズカバーと閉じた状態でも外光が入射するので、不透明なマークを撮像することにより片ボケの有無を検出することができる。
【００２６】
また、上記実施形態の別の変形例として、不透明なレンズカバーの内側に形成されたマークに対して光を照射して、その反射光を撮像することによって、レンズカバーを閉じた状態で片ボケを検出する構成も可能である。
図８は、実施形態の変形例における鏡筒の一部の構造を示す図である。この図において、実施形態と同じ構成要素については同一の符号で表わしている。すなわち、鏡筒４、レンズカバー５、レンズ６、レンズ７については、一部を除いて実施形態と同じ構造になっている。図８（１）において、右側の図は本体１側から鏡筒４を見た図であり、左側の図は右側の図におけるＸ−Ｘ線に沿う断面図である。鏡筒４の内部には、本体１側の端部（図示せず）からレンズカバー５に達するまで、１２個の孔４ａが鏡筒４と同心円状に形成されている。また、各孔４ａがレンズカバー５に達する位置には、リング状のミラー４ｂが設けられている。そして、本体１の表示部２０のバックライトからの光がプラスチックのグラスファイバなど（図示せず）によって導かれ、図８（１）の左側の断面図において矢印で示すように、各孔４ａに光束Ｌが入射される。したがって、各孔４ａを通った１２本の光束Ｌはリング状のミラー４ｂによって反射されて、レンズカバー５の内側に照射される。
【００２７】
図８（２）は、レンズカバー５の内側およびリング状のミラー４ｂを示す図である。閉じられた状態のレンズカバー５の上カバー５ａおよび下カバー５ｂには、複数の星型のマークＭが印刷又は刻印によって形成されている。また、点線で示す矩形はＣＣＤ１０の撮像範囲ＡＲＥＡを表わしている。各孔４ａを通った１２本の光束Ｌがリング状のミラー４ｂによって反射されて、複数のマークＭに照射されるので、ＣＣＤ１０は、レンズカバー５が閉じられた状態で、複数のマークＭの画像を撮像することができる。
さらにこの変形例において、バックライトの代わりに、鏡筒４の端部における各孔４ａにＬＥＤなどの発光素子を設けて、その発光素子からの光束を複数のマークＭに照射する構成にしてもよい。
【００２８】
すなわち、この変形例によれば、レンズカバー５は、２つの不透明な部材である上カバー５ａおよび下カバー５ｂが開閉する構造を有するとともに、表示部２０のバックライト又は他の発光素子からなる照明手段によって、レンズカバー５の内面に対して光を照射して、上カバー５ａおよび下カバー５ｂの内面の所定箇所に形成されたマークによって反射された光の画像をＣＣＤ１０が撮像する。
したがって、実施形態の場合と同様に、片ボケ現象を補正するために新たな部品を追加する必要がなく、製品のコストアップを招くことなく、高い画質の撮像画像が得られる。
【００２９】
さらに、高品質な画質補正を行うには、上に述べた画質補正の手順を外部機器において行ってもよい。すなわち、撮像時には片ボケ評価値と未加工の画像データを保存するにとどめ、パーソナルコンピュータなどの情報処理機器にこれらのデータを読み出し、片ボケ評価値をもとにさらに手動で微調整を加えながら画像データの補正を行うようにしてもよい。
【図面の簡単な説明】
【００３０】
【図１】本発明の実施形態における沈胴式の電子カメラの外観図。
【図２】図１の電子カメラのレンズカバーが閉じられた状態から開かれる様子を示す図。
【図３】実施形態における電子カメラの全体構成を示す概念図。
【図４】実施形態における電子カメラの動作を示すＣＰＵのフローチャート。
【図５】図４に続くＣＰＵのフローチャート。
【図６】図５に続くＣＰＵのフローチャート。
【図７】実施形態における電子カメラのレンズカバーが所定位置まで開いた状態を示す図。
【図８】実施形態の変形例における鏡筒の一部の構造を示す図。
【符号の説明】
【００３１】
１  本体
２  電源スイッチ
３  シャッタスイッチ
４  鏡筒
５  レンズカバー
６，７  ズーム用のレンズ
８  アイリス
９  フォーカス用のレンズ
１０  ＣＣＤ
１１  ＣＰＵ
１２  Ａ／Ｄ、ＧＣＡ
１３  ＣＣＤドライバ
１４  フォーカスドライバ
１５  ズームアイリスドライバ
１６  カバードライバ
１７  操作部
１８  ＲＯＭ
１９  ＲＡＭ
２０  表示部
２１  フラッシュメモリ
【図１】
2006279117.tif 000003
【図２】
2006279117.tif 000004
【図３】
2006279117.tif 000005
【図４】
2006279117.tif 000006
【図５】
2006279117.tif 000007
【図６】
2006279117.tif 000008
【図７】
2006279117.tif 000009
【図８】
2006279117.tif 000010